(57)【要約】      （修正有）【課題】  新聞を構成する各記事について、購読者が抱く購読後の反響を早急に受付け把握するとともに、各購読者に対しても、他の購読者が感じた購読後の反響を時々刻々と伝えることを可能にする、新聞の購読後の双方向交流を可能にする新聞のシステムを提供する。【解決手段】  複数の単位記事によって構成された新聞と、単位記事に対する購読後反響のデーターを、インターネットを介して、購読者電子端末より新聞社サーバに向けて発信する購読後反響発信手段と、購読者が発信する購読後反響の回答データーを、インターネットを介して、新聞社サーバに受付けて処理する購読後反響処理手段と、購読後反響処理手段にて受付けて処理した集計データーを、インターネットを介して購読者に伝える購読後反響データー発信手段をもつようにした、新聞の購読後反響の双方向交流を可能にする新聞のシステムである。【選択図】 図１
2007200267.tif 000002
【特許請求の範囲】
【請求項１】
複数の単位記事によって構成された新聞と、単位記事に対する購読後反響情報の回答データーを、インターネットを介して、購読者電子端末より新聞社サーバに向けて発信する購読後反響発信手段と、
購読者が発信する購読後反響情報の回答データーを、インターネットを介して、新聞社サーバに受付けて処理する購読後反響受付手段ならびに購読後反響処理手段と、
購読後反響処理手段にて処理した処理データーを、インターネットを介して、新聞社サーバより購読者電子端末に、リアルタイムあるいは適時に配信する購読後反響データー発信手段をもつことを特徴とする新聞と購読者間における購読後反響情報の双方向交流を可能にする新聞のシステム。
【請求項２】
購読後反響処理データー発信手段を、新聞発行を介して購読者に配信とすることを特徴とする請求項１記載の新聞と購読者間における購読後反響情報の双方向交流を可能にする新聞のシステム。
【請求項３】
購読後反響発信手段を、各単位記事に対応する記事識別記号を介して行うことを特徴とする請求項１記載の新聞と購読者間における購読後反響情報の双方向交流を可能にする新聞のシステム。
【請求項４】
インターネットを介して行なう購読後反響発信手段を、購買者電子端末のディスプレイに表示の購読後反響送発信パターンを利用して行なうことを特徴とする請求項１記載の新聞と購読者間における購読後反響情報の双方向交流を可能にする新聞のシステム。
【請求項５】
購読後反響発信手段に、購読後反響メッセージを発信する購読後反響メッセージ発信機能を加え、
購読後反響処理手段に、購読後反響メッセージを集積処理する購読後反響メッセージ処理機能を加え、
購読後反響処理データー発信手段に、購読後反響メッセージを購読者電子端末に発信する購読後反響メッセージ発信機能を加えたことを特徴とする請求項２記載の新聞社等と購買者間における購読後反響情報の双方向交流を可能にする新聞のシステム。
【請求項６】
購読者が発信する購読後反響情報の回答データーを、インターネットを介して、新聞社サーバに受付ける度に、乱数発生部より発生する乱数を基に、当選決定手段が抽選を行なうことを特徴とする請求項１記載の新聞と購読者間における購読後反響情報の双方向交流を可能にする新聞のシステム。
【請求項７】
購読後反響発信手段を介して発信された購買後反響の回答データーを、購読後反響集計手段において受付けておき、
購買後反響処理手段によって処理した購買後反響の集計データーと照合して、購買後反響の集計データーが一致した購読者を選出し、
乱数発生部より発生する乱数を基に、当選決定手段が抽選を行うことを特徴とする請求項１記載の新聞と購読者間における購読後反響情報の双方向交流を可能にする新聞のシステム。
【請求項８】
新聞社サーバに収録準備した単位広告情報のデータを、インターネットを介して、購読者電子端末より新聞社サーバに請求する広告情報請求手段と、
単位広告情報の請求を受けて、新聞社サーバより購買者電子端末に向けて単位広告情報を発信する広告情報発信手段をもつことを特徴とする新聞社等と購読者間における購読後反響情報の双方向交流を可能にする新聞のシステム。
【請求項９】
単位広告情報に関連した購買者反響情報を、インターネットを介して、購買者電子端末より新聞社サーバに発信する単位広告関連情報発信手段と、
単位広告関連情報のデータを受けて処理する、新聞社サーバの単位広告情報受付手段ならびに単位広告情報処理手段と、
新聞社サーバで受付処理された単位広告情報のデータを、購買者電子端末に向けて発信する単位広告関連情報発信手段をもつことを特徴とする新聞と購読者間における購読後反響情報の双方向交流を可能にする新聞のシステム。
【請求項１０】
新聞社サーバより購買者電子端末に向けて単位広告情報を発信する広告情報発信手段と、
単位広告情報内に商品注文欄を設けて、購買者電子端末より新聞社サーバを介して広告主に向けて商品注文を行なう広告商品注文手段と、
商品注文の度数に応じて広告主に課金して、広告主が指定した所定の金融機関への決済を要求する決済要求手段を有することを特徴とする新聞と購読者間における購読後反響情報の双方向交流を可能にする新聞のシステム。
【発明の詳細な説明】
【技術分野】
【０００１】  この発明は、新聞等を構成する各記事について、購読者から読後の反響情報を早急に受付け把握するとともに、各購読者に対しても、それぞれの記事に対する他の読者の反響情報をリアルタイムに時々刻々と伝えていくことを可能にする、新聞の購読後反響情報の双方向交流を可能にするシステムに関するものである。
【背景技術】
【０００２】  この本願発明に関する特許文献等は、調査したが見当らなかった。
【発明の開示】
【発明が解決しようとしている課題】
【０００３】    従来、新聞の使命は、迅速な報道を中心にして、論説や紹介・解説の記事を掲載していくことに全力を傾け、大きな進歩を果たしてきた。その反面、その記事に対する購読者の反応や意見の情報収集については、必要性は切実に感じながらも、格段の進歩が見られていないのが現状である。従って、その購読者の反響収集は、新聞社に届けられる電話やファックスとか、インターネットによるメール等から推測する域を出なかった。また、読者の方も、一方的に情報を流されるだけで、その記事が世間にどのように受けとめられ、他の多く読者が、どのような反響をもって読んでいるのかは知りようがなかった。
【０００４】  新聞社にとっては、自分たちが取材編集して日々発信する各記事の一つ一つについて、購読者の明確な反応が知りたいし、また、記事に関連のある隠れた情報や意見・感想があれば即刻入手したいと考えている。このことは、購読者としても同様であって、個々の記事を読んで抱いた感想や意見を、記事の執筆者に伝えたいし、新聞社にも知ってもらいたい。また、自分が関心をもった記事について、他の購読者がどのような感想や意見をもって読んでいるかについても知りたいと思っている。これら双方の思いの交流は、インターネットを利用してシステム化していくことによって可能となるではなかろうか。即ち、新聞社にとっては、各記事毎の購読者の反応をその日のうちにスピーディに収集出来、次号の新聞編集にも反映出来る。また、購読者にとっても、購読後の感想等を新聞社に伝えるとともに、他の購読者の感想等をリアルタイムに知ることも可能となる。従って、新聞社と購読者双方ともに有益である。本発明は、これらを踏まえ、今後の新聞編集への大きな相乗効果が上げることを課題とする。
【０００５】  また、新聞発行を支えている経営基盤として、広告欄の存在は非常に大きいものがある。しかし、新聞社は、広告主からの依頼を受けて紙面の一部を提供し、その代償として広告料金を得ているだけであって、その広告の効果については関知していない。また、新聞購読者も、広告を掲載している新聞社を介して注文する方法はないから、購入するとしても、販売している店を探して行くか、直接、販売元の会社に注文して購入しなければならなかった。この間に、購買意欲もそがれることは誰しも経験している。また、広告欄は、きわめて限られている紙面に載せられていることが多く、商品の情報を十分伝えることが出来なかった。これら問題点を、インターネットの利用で大幅に解消し、新しい事業の展開が可能としていくことを課題とする。
【課題を解決するための手段】
【０００６】  本発明では、上記課題を解決するために、新聞を構成する複数の各単位記事に対する各購買者の購読後の反響情報を集める回答データーを、インターネットを介して、各購買者の電子端末より新聞社のサーバーに向けて発信させる購読後反響発信手段と、購読者が発信する購読後反響情報の回答データーを、新聞社のサーバー内に受付けて処理する購読後反響受付手段ならびに購読後反響処理手段と、購読後反響処理手段で処理した処理データーを、インターネットを介して、新聞社サーバより購読者電子端末に、リアルタイムもしくは適時に配信する新聞編集に利用する購読後反響発信手段をもつようにする。
【０００７】また、購読後反響処理発信手段として、新聞発行を介して購読者に配信とする。
【０００８】  購読後反響発信手段は、新聞紙面を構成する各単位記事にそれぞれ対応する記事識別記号を設けておき、インターネットを介して、新聞社サーバより購買者電子端末のディスプレイに配信される全記事識別記号の中から、所定の記事識別記号をクリックすることにより行なう。また、各記事識別記号毎にいくつかの理由項目等を設けてクリックさせ、全記事の中から選んだ理由を発信できるようにする。
【０００９】  あるいは、購読後反響発信手段を、インターネットを介して、新聞社サーバより購買者電子端末のディスプレイに配信される所定の購読後反響送発信パターンを利用して行なう。尚、購読後反響送発信パターンとは、例えば、当日発行された新聞の各ページの紙面を縮小した形で区画図示して構成したものであって、対応する記事区画をクリックすることによって、新聞社サーバに向けての購読後反響発信を行なう。
【００１０】  購読後反響発信手段に、購読後反響メッセージを発信する購読後反響メッセージ発信機能を加え、購読後反響処理手段に、購読後反響メッセージを集積処理する購読後反響メッセージ処理機能を加え、購読後反響処理発信手段に、購読後反響メッセージを購読者電子端末に発信する購読後反響メッセージ発信機能を加える。
【００１１】  購読者の読後反響発信手段より発信される回答データーを、インターネットを介して、新聞社サーバに受付ける度に、乱数発生部より発生する乱数を基に、当選決定手段が抽選を行う。
【００１２】  購読後反響発信手段を介して発信された購買後反響の回答データーを、購読後反響集計手段において受付けておき、購買後反響処理手段によって処理した購買後反響の集計データーと照合して、購買後反響の集計データーが一致した購読者を選出する。そして、新聞社サーバにおける乱数発生部より発生する乱数を基に、当選決定手段が抽選を行う。
【００１３】  新聞社サーバに収録準備した単位広告情報のデータを、インターネットを介して、購読者電子端末より新聞社サーバに請求して取り出す広告情報請求手段と、単位広告情報の請求を受けて、新聞社サーバより購買者電子端末に向けて単位広告情報を発信する広告情報発信手段を設ける。
【００１４】  単位広告情報に関連した購買者反響情報を、インターネットを介して、購買者電子端末より新聞社サーバに発信する単位広告関連情報発信手段と、購買者よりの単位広告関連情報のデータを受けて処理する、新聞社サーバの単位広告情報受付手段ならびに単位広告情報処理手段と、新聞社サーバで受付処理された単位広告情報のデータを、購買者電子端末に向けて発信する単位広告関連情報発信手段を設ける。
【００１５】  新聞社サーバより購買者電子端末に向けて単位広告情報を発信する広告情報発信手段とと、単位広告情報内に商品注文欄を設けて、購買者電子端末より、新聞社サーバを介して広告主に向けて商品注文を行うことを可能にする広告商品注文手段を設ける。
【００１６】  また、購読者電子端末から新聞社サーバに商品注文の発信が入る度数に応じて広告主に課金して、広告主が指定した所定の金融機関への決済を要求する決済要求手段を有する。
【発明の効果】
【００１７】  以上述べたように、本発明は、当日発行された新聞を構成する多数の各単位記事について、購読者が、どの単位記事にどの程度の関心や興味を寄せ、どのような感想や意見などを持ったかを、新聞社ならびに希望する全ての購読者が、新聞発行直後からシステム的に知ることが可能となる。即ち、購読者電子端末より発信する購読後反響発信手段によって、購読者からの発信データーは、インターネットを介して、新聞社サーバに向けて発信され、それらの発信データーは、新聞社サーバにおいて購読後反響受付手段ならびに購読後反響処理手段によって受付け処理される。そして、購読後反響処理手段にて処理した処理データーは、インターネットを介して、新聞社サーバより購読者電子端末に向けて、リアルタイムあるいは適時に配信したり、翌日発行の新聞に記載していくという購読後反響発信手段を持っている。
【００１８】  これらは、現行の新聞社から購読者に向けての新聞発行システムに、インターネットを介して、購読者から新聞社に向けての購読後の感想や意見などの反響情報を発信可能にするシステム、そして、他の購読者が発信している反響情報などを、インターネットを介して、リアルタイムもしくは適時に発信するとともに、翌日の新聞紙面に掲載していくシステムである。
【００１９】  この新聞と購読者の双方向交流を可能にする新聞のシステムによって、新聞社は、当日発行の新聞を構成する各単位記事についての購読者の関心の状況、ならびに、記事についての感想や意見、関連する情報など生のメッセージを、インターネットを介して、新聞発行直後よりシステム的に受け取ることが可能となる。即ち、新聞社は、購読者に対する所望の設問によって、購読者からの回答データーや情報をを求めることが可能であり、その設問に対する購読者の関心の度合いを、数量的に把握することも可能となる。
【００２０】    一方購読者も、単に新聞を購読するにとどまらず、新聞の各記事を読むとともに、購読によって生じた感動や怒りあるいは意見や感想などを、回答データや購読後反響メッセージとしてシステム的に新聞社に伝えることが可能となる。
【００２１】  また、記事に関連した隠れた情報などについても、購読後反響メッセージの一つとして新聞社に提供することも出来る。従って、場合によっては、一つの記事から始まって、取材記者の思いもかけない情報の糸口を入手することもあり得るから、情報取材に広がりと深さが期待される。
【００２２】  それとともに、購読者は、他の購読者の発信した反響やメッセージ等を、インターネットを介して、リアルタイムもしくは適時に知ることが可能である。従って、購読している紙面とともに、他の購読者の反響やメッセージ等を知ることが可能となり、更に、それらの情報は時間を追って蓄積され変化していくので、関心が高まれば何回となく見ることが出来る。従って、購読者は、新聞に記載された記事を与えられた情報として読むのではなく、この記事を手がかりにして社会に働き掛けるという主体的な購読が可能となる。
【００２３】  即ち、新聞社から購読者に情報発信される新聞の機能と、その新聞を購読者が読んで感じた感想や意見、あるいは関連の記事などのメッセージを新聞社に発信する機能を双方向に交流可能として、新聞の編集と新聞購読の双方に新しく相乗効果を生む有益な発明である。
【００２４】  インターネットを介して、購読者電子端末から新聞社サーバに向けて行なう購読後反響発信手段の一つは、新聞を構成する各単位記事に対応する記事識別記号を付与しておき、新聞社サーバより購読者電子端末に配信された回答画面内の記事識別記号群の中から選択してクリックする方法、あるいは、所定個所に記事識別記号を打ち込むことである。また、他の方法としては、新聞社サーバより購読者電子端末に配信される購読後反響送発信パターンを利用し所定個所をクリックして行なうだけであり、何れも簡潔である。特に、後者の場合は、新聞各ページの単位記事枠に対応してパターン化されており、購読者電子端末より新聞社サーバへの購読後反響発信手段の行使にも、新聞社サーバより購読者電子端末に向けて発信される購読後反響処理データーの閲覧にも便利である。これらは、購読ご反響メッセージの送発信についても同様である。
【００２５】  購読者からの購読後反響発信ならびに購読後メッセージ発信に伴う抽選のシステムは、購読者が行う新聞社への様々な情報発信に対して楽しみを与えるとともに、大きく奨励する効果がある。また、新聞社が本システムにより受けるのメリットを購読者に還元する効果がある。特に、購読後反響発信手段を介して発信された購買後反響の回答データーと、購買後反響処理手段によって処理した購買後反響の集計データーと照合して、購買後反響の集計データーが一致した購読者を選出して当選決定手段が抽選を行なう方法は、翌日の新聞紙面に掲載する記事としても多くの購読者からの関心を集められる効果が大きい。これは、年末恒例の１０大ニュース選びのミニ版を連日行なっているような効果となり、購読者増加にもつながるものと期待できる。
【００２６】  従来、新聞に掲載されている単位広告の情報は、限られた紙面に制約された僅かな情報しか開示されていなかったが、本発明によると、広告主より提供された詳細な単位広告情報のデータを新聞社サーバに予め収録準備しておき、インターネットを介して、購読者電子端末より詳細な単位広告情報を引き出すことが可能となる。
【００２７】  また、単位広告情報に関連した購買者反響情報を、インターネットを介して、購買者電子端末より新聞社サーバに発信することも可能となるとともに、それらの購読者反響関連情報のデータを新聞社サーバにて受け付けて処理し、それらの単位広告関連情報のデータを、購買者電子端末から引き出すことも可能となる。従って、購読者は、新聞に掲載されている単位広告の記事を手がかりにして、広告主からの詳細な情報とともに、他の購読者から発信されている様々な単位広告関連情報のデーターも合わせて知ることが可能となる。
【００２８】  購買者電子端末に向けて発信される単位広告情報内には商品注文欄を設けられ、購買者電子端末より、新聞社サーバを介して広告主に向けて商品注文を行なうことが可能となる。従って、商品を販売している店を探したり、わさわざ広告主の会社にコンタクトを取って注文する不便は解消され、広告主への注文も増えることが期待できる。また、商品注文の度数に応じて広告主に課金して、広告主が指定した所定の金融機関への決済を要求する決済要求手段を有するため、新聞社は、広告掲載料金の他に、商品注文の度数に応じた課金を得ることになる。従って、広告掲載料金を安く設定しておいて、この課金との合計額で広告収入を考えるというシステムとなり、宣伝効果を反映した料金として広告主からも歓迎されるであろう。
【００２９】  本発明によれば、新聞紙面に掲載される広告は、広告主から購読者に対する商品紹介の入り口であって、より詳細な商品情報は、新聞社サーバに収録準備されたている。従って、必要最低限のスペースでも十分であるから、新聞社が提供できる所定の広告スペースに、従来以上に多くの広告数を掲載が出来るから、結果として、購読者は、より多くの広告を見ることが可能となり、しかも、必要な場合には、掲載されている広告を手がかりにして、即座に豊富な情報を入手できることになる。
【００３０】  以上のことから、本発明によって、新聞の編集発行と購読者は双方向交流が可能な一体化が実現する。従って、インターネット技術と新聞発行との有機的な融合が進んだ新しい新聞として歓迎されることが期待出来る。
【発明を実施するための最良の形態】
【００３１】  以下、本発明の実施の形態について図面を参照して説明すると、図１は、本発明の実施の形態に係る全体構成を示すブロック図であり、図２は、本発明の実施の形態を説明する流れ図である。【００３２】  図１に示されるように、本発明は、新聞社１から発行される新聞２と、新聞２の購読者３を、購読者２が有する購読者電子端末４と新聞社１の有する新聞社サーバ５をインターネット６によって結んで、新聞社１と購読者３間における購読後反響情報の双方向交流を可能にする新聞のシステムである。【００３３】  即ち、図２に示すように、購読者３の有する購読者電子端末４に、新聞購読後の感想や意見などの反響情報を発信する購読後反響発信手段７と、新聞社１の有する新聞社サーバ５に、購読後反響発信手段７によつて送られてくる発信データを受付ける購読後反響受付手段８と、受付けた発信データーを処理する購読後反響処理手段９をもつ。そして、その購読後反響情報の処理データは、インターネット６ならびに新聞３紙面を介して、購読者３に発信していく購読後反響発信手段１０をもつ新聞社１とから成り立っている。【００３４】  図３に示すように、新聞３の紙面は、見出し項１１によって代表される多数の単位記事１２によって構成され、必要であれば、単位記事１２には、各単位記事１２を示す記事識別記号１３を設ける。記事識別記号１３は、アルファベットや数字の組合せ、あるいはバーコードで表示する。【００３５】  記事識別記号１３の一例を示すと、記事識別記号１３の全ての表記を数字表示とすると、０４０９は、４ページの９番目の記事を示すことになり、２３０１は、２３ページの１番目の単位記事１２を示すことになる。【００３６】  あるいは、記事識別記号１３表記の最初をアルファベットとして新聞のページに対応させ、その後に、そのページ内の記事順を示すものとする。これに従えば、新聞２のページをアルファベット順に表記して、Ｐ．１をＡ、Ｐ．２をＢ、Ｐ．３をＣ・・・と対応させて表示する。次に、各ページ内の各単位記事１２を大略記載順に表記して、０１，０２，０３，０４，０５・・・と表示する。従って、Ａ０７とあると、１ページの７番目の単位記事１２を示すことになり、Ｑ１３とあれば、１７ページの１３番目の単位記事１２を示すことになる。【００３７】  購読者電子端末４は、パーソナルコンピューターまたはメール機能付きの携帯電話（携帯端子）等であり、新聞社サーバ５に対して電子化されたデーターの送受信に使用される。具体的には、購読者電子端末４は、インターネット６を介して新聞社サーバ５にデーター通信を行う機能と、新聞社サーバ５から送信されてくる各種データを受信して、表示し記憶する機能を有する。【００３８】  新聞社１が一番知りたい購読者３からの反応としては、新聞紙面のどの記事に一番関心を寄せ、そして、どのような感想や意見を抱いたかということである。従って、購読後反響発信手段７として行なう最も単純な例としては、新聞２の全紙面を構成する多数の単位記事１２のうち一番関心をもった記事を選択する回答データである。あるいは、新聞社１の設定したいくつかの分野別または設問によって、各単位記事１２の中から一つもしくは複数個選択して発信する回答��ータなどである。【００３９】  図４は、購読後反響発信手段の最も簡単な具体例の一つであって、インターネット６を介して、新聞社サーバ５より購読者電子端末４の表示画面に配信される購読後反響回答欄１４によるものである。購読後反響回答欄１４は、新聞２を構成する全ての単位記事１２の記事識別記号１３が、ページ順・記載順に整理して一覧出来るようにしている。購読者３は、この購読後反響回答欄１４記載の記事識別記号１３をクリックすることで、購読後の反響回答データを新聞社サーバ５に向けて発信する。【００４０】  図５は、購読後反響発信手段７の標準的な具体例の一つとして、新聞社サーバ５よりインターネット６を介して、購読者電子端末４の表示画面に表示される購読後反響送受信パターン１５を示したものである。購読後反響送受信パターン１５は、新聞２の紙面をページ毎に縮小区画化してパターン化し、新聞２の各ページを構成する複数の単位記事１２に対応した記事枠１６によって区画され、その区画内には、新聞３の各単位記事１２と同様な見出し項１１と、記事識別記号１３を設ける。購読者は、新聞を読み終わった時点で、最も関心が高かった記事を選定し、購読後反響送受信パターン１５の中から、その所定ページを開き、選定した記事に対応する記事枠１６内のたとえば見出し項１１（あるいは記事識別記号１３など）をクリックすることにより、購読者電子端末から新聞社サーバ５に向けて、購読後反響回答データを発信する。また、そのクリック動作によって、図６にその一例を示すような、その記事を選定した理由等についての複数個の回答項目１７が現れるようにし、続いてその中で適当と思われる項目を選んでクリックし、回答データーについての理由を発信する。【００４１】  購読後反響発信手段７より発信される購読後反響回答データーは、新聞社サーバ５に設けた購読後反響受付手段８によって受付けられた後、購読後反響処理手段９によって集積整理の処理が行なわれる。その集計処理データーは、インターネット６を介して、購読後反響データ発信手段１０によって、購読者電子端末４に向けてリアルタイムもしくは適時に発信する。これにより、購読者３は、新聞２を読むとともに、他の購読者が、その時点における各単位記事１２毎の他の購読者の注目度やその理由などを知ることが可能となる。【００４２】  尚、購読後反響発信手段６による購読後反響の発信データーは、購読後反響受付手段８によって、同一購読者よりは同一日に一度に限り受け付け、以後の修正や繰り返しの発信データーについては受け付けない。【００４３】  そして、購読後反響処理手段９による購読後反響の処理データーは、所定の時刻に締切り、次号の新聞２の編集内に組み込み発行する。この購読後反響の処理データーは、いわば各単位記事１２のアンケートによる人気投票のような性質のものであるが、その単位記事１２を選択した理由項目の集計もなされるので、新聞社１において様々な分析が可能となり、その結果は、新聞編集にも生かされ購読者からの大きな関心を期待できる。【００４４】  尚、上記各記事枠１６内に購読後反響メッセージポイント１８を設けておき、クリックするとことにより、図７に示すような所定の購読後反響メッセージの書��込み欄１９が現れるようにする。そして、各単位記事１２についての購読後反響メッセージとして、購読者の感想や意見などの書き込みを可能とする。これらの購読後反響メッセージは、購読後反響発信手段７に含めて、購読後反響回答データーと同様に、インターネット６を介して、新聞社サーバ５に向けて発信される。【００４５】  購読後反響メッセージは、新聞社のサーバ５において、購読後反響受付手段８において収録され、購読後反響処理手段９において処理され、次に、購読後反響発信手段に含めて、インターネット６を介して、リアルタイムもしくは適時に購読者電子端末４に向けて発信する。これにより、購読者３は、新聞２の各単位記事１２を読むのと並行して、他の購読者３の各単位記事１２に対しての感想や意見、あるいは関連した情報などを、購読者電子端末４を利用して読み取ることが可能となる。また、新聞社１としても、単位記事１２に関する他の購読者３の様々な反響、また関連した情報を得ることが出来、必要なものについては、翌日以降の新聞編集にも反映させることが可能となる。【００４６】  次に、図８に示すように、インターネット６を介して、購読者電子端末４から新聞社サーバ５に向けて発信する購読後反響発信手段７により届けられる発信データーは、新聞社サーバ５において、購読後反響受付手段８によって受付けるたびに、乱数発生部２０より発生させる乱数を基に、所定の当選確率に従って抽選を行う当選決定手段２１を設ける。【００４７】  あるいはまた、まず、購読後反響発信手段７によって発信された購買後反響の回答データーと、購読後反響受付手段８ならびに購読後反響処理手段９において受付け処理して得た、購買後反響の集計データーの第一位となった単位記事１２とを照合して、購買後反響の回答データーが一致した購読者を選出する。次に、この購買後反響の回答データーが一致した購読者を抽選対象者として、新聞社サーバにおける乱数発生部２０より発生する乱数を基に、当選決定手段２１が抽選を行う。【００４８】  これらの抽選結果は、インターネット６を介して購読者電子端末４に送られるとともに、次号の新聞３の紙面掲載の単位記事１２の一つとして発表する当選結果発信手段２２を設ける。【００４９】  次に、新聞の構成に欠かすことの出来ない広告欄に関する双方向交流を可能にする新聞等のシステムについて述べる。【００５０】  各単位広告２３は、新聞３の構成には欠かせない重要な要素である。広告主２４は、単位広告２３を紙面に掲載することによって、商品等を広範囲の購読者に宣伝することが可能となり、新聞社１は、その代償として相当額の広告料を得ることになる。一方、購読者３は、新聞２を構成する単位記事１２を読み進むのと並行して各方面の商品情報を獲得出来るなどのメリットがある。しかし、単位広告２３は、一般に限られたスペースに掲載されるという制約のため情報量が少なく、また、その内容も、記者による客観的な取材に基づくものでなく、広告主２４の思いが強調された表現になっていることも多いのが現状である。本発明は、これらの問題点の解決を図るものである。【００５１】  即ち、新聞３に記載する単位広告２３については、先ず、広告主２４が提供した詳細な広告関連広告主情報２５を、新聞社サーバ５内に収録しておく。そして、購読者電子端末４に表示された購読後反響送受信パターン１５に記載された単位広告欄２６内をクリックすることにより、新聞社サーバ５に設けた各広告関連広告主情報２５の開示を求める広告関連情報請求手段２７を設ける。【００５２】  新聞社サーバ５は、購読者電子端末４の広告関連情報請求手段２７によって広告関連広告主情報２５のデータの開示を求められると、購買者電子端末４に対して、インターネット６を介して単位広告情報を発信する広告情報開示手段２８を設ける。【００５３】  これら広告情報請求手段２７と広告情報開示手段２８によって、購読者２は、新聞３に掲載された単位広告２３を手がかりにして、購読者電子端末４を操作することによって、、新聞社サーバ５に収録されている詳細な広告関連広告主情報２５を取得することが可能となる。【００５４】  ところが、新聞３に記載の単位広告２３ならびに広告関連広告主情報２５は、いずれも広告主２４から購読者３に向けて提供された情報であって、必ずしも信頼できる妥当な情報であるという保証はない。しかし、購読者３は、その単位広告２３に関連した他の購読者３からの賛否を含めた様々な反響情報を、購入前に知ることは困難である。【００５５】  その一方では、単位広告２３に関しては、広告掲載以前から様々な角度から情報を持っていて、単位広告２３に関連して意見や感想を述べたい人や、広告掲載の商品を購入して、その感想や意見を発表したい人も当然ある。これらの広告関連消費者情報２９を、それぞれの購読者電子端末４より、インターネット６を介して、新聞社サーバ５に向けて発信する広告関連消費者情報発信手段３０を設ける。【００５６】  広告関連消費者情報発信手段３０によって新聞社サーバ５に届けられた購読者３よりの単位広告関連消費者情報のデータは、新聞社サーバ５に設けた広告関連消費者情報受付手段３１によって受付られ、広告関連消費者情報処理手段３２によって処理され、広告関連消費者情報２９として集積される。【００５７】  即ち、新聞社サーバ５内には、広告主２４から提供された広告関連広告主情報２４と、購読者３から提供された広告関連消費者情報２９を含めた広告関連情報３０が集積されることとなる。従って、購読者３は、購読者電子端末４における広告関連情報請求手段２７の請求によって、インターネット６を介して、広告関連広告主情報２５ならびに広告関連消費者情報２９の開示を得ることが出来る。【００５８】  次に、新聞社サーバ５より、インターネット６を介して、購買者電子端末４に向けて発信される購読後送受信パターン１５に、単位広告欄３４を設ける。単位広告欄３４または前記広告関連広告主情報２５内には、所定の商品注文ポイント３５を設け、商品注文ポイント３５をクリックすることで商品注文書を表示して、購買者電子端末４より商品注文を可能とする商品注文発信手段３６を設ける。消費者電子端末４より発信された商品注文は、新聞社サーバ５に設けた商品注文中継手段３７を介して、直接、広告主２４の有する広告主サーバ３８に届けられ、商品注文として受付けされる。【００５８】  新聞社サーバ５において、広告主２４への商品注文中継を行なうたびに��その度数あるいは金額に応じて所定の課金を行なうために、広告主２４が指定した所定の金融機関３９への決済を要求する課金決済要求手段４０を設ける。
【図面の簡単な説明】
【００５９】
【図１】  本発明の実施の形態に係る全体構成を示す説明図である。
【図２】  本発明を説明するための説明図である。
【図３】  新聞紙面の一例を示す模式図である。
【図４】  購読後反響回答欄の一例を示す模式図である。
【図５】  購読後反響送発信パターンを示す模式図である。
【図６】  回答項目の一例を示す模式図である。
【図７】  購読後反響メッセージ書き込み欄の一例を示す模式図である。
【図８】  購読後反響発信に関しての抽選システムの説明図である。
【図９】  広告関連情報開示に関しての説明図である。
【図１０】  購読後反響発信に関しての抽選システムの説明図である。
【符号の説明】
【００６０】  １  新聞社
２  新聞
３  購読者
４  購読者電子端末
５  新聞社サーバ
６  インターネット
７  購読後反響発信手段
８  購読後反響受付手段
９  購読後反響処理手段
１０  購読後反響データ発信手段
１１  見出し項
１２  単位記事
１３  記事識別記号
１４  購読後反響回答欄
１５  購読後反響送受信パターン
１６  記事枠
１７  回答項目
１８  購読後反響メッセージポイント
１９  書き込み欄
２０  乱数発生部
２１  当選決定手段
２２  当選結果発信手段
２３  単位広告
２４  広告主
２５  広告関連広告主情報
２６  単位広告欄
２７  広告関連情報請求手段
２８  広告関連情報開示手段
２９  広告関連消費者情報
３０  広告関連消費者情報発信手段
３１  広告関連消費者情報受付手段
３２  広告関連消費者情報処理手段
３３  広告関連消費者情報開示手段
３４  単位広告欄
３５  商品注文ポイント
３６  商品注文発信手段
３７  商品注文中継手段
３８  広告主サーバ
３９  金融機関
４０  課金決済要求手段
【図１】
2007200267.tif 000003
【図２】
2007200267.tif 000004
【図３】
2007200267.tif 000005
【図４】
2007200267.tif 000006
【図５】
2007200267.tif 000007
【図６】
2007200267.tif 000008
【図７】
2007200267.tif 000009
【図８】
2007200267.tif 000010
【図９】
2007200267.tif 000011
【図１０】
2007200267.tif 000012